(57)【要約】【課題】医療従事者（看護師）間の医療業務（医療処置）引継ぎを適確に行えるような看護計画勤務作成システム及び看護業務計画作成誘導システムを提供すること。【解決手段】入院患者（含患者ＩＤ）の治療計画書を示す医療計画情報を取り扱う手段、医療処置従事者の勤務スケジュールを取り扱う手段、と連携して、一人以上の入院患者の治療計画情報に基づき入院患者に対して必要な医療業務すべてに医療処置従事者の勤務スケジュール情報を元に、その医療業務を担当する看護師を割り当てる手段と、前記医療業務を医療従事者に通知するメッセージを生成する手段と、前記メッセージを前記医療従事者に配信する手段、を有する看護業務計画作成誘導システム。【選択図】図１
2019021124.tif 000002
【特許請求の範囲】
【請求項１】
患者の治療計画を含む患者情報及び看護師の勤務状況を含む看護勤務情報を入力する入力手段と、
前記患者情報と前記看護勤務情報を元に前記治療計画における医療処置行為を担当する看護師を割り当てて、当該医療処置行為と当該担当看護師を関連付けた情報を含む看護業務計画を作成する手段と、
前記看護業務計画を表示する手段と、
を有することを特徴とする看護業務計画作成システム。
【請求項２】
患者の治療計画を含む患者情報及び看護師の勤務状況を含む看護勤務情報を入力する入力手段と、
前記患者情報と前記看護勤務情報を元に前記治療計画における医療処置行為を担当する看護師を割り当てて看護業務計画を作成する手段と、
前記治療計画における医療処置行為の進捗状況を管理する手段と、
前記医療処理行為を行う時間に達したとき、又は近づいたとき、医療処理行為を行う時間である旨を前記担当する看護師に通知する手段と、
を有することを特徴とする看護業務誘導システム。
【請求項３】
請求項２に記載された看護業務誘導システムにおいて、
前記看護師に通知する手段は、
前記医療処理行為を行う時間に達したとき、又は近づいたとき、その旨を示すメッセージを作成し、
当該メッセージをもって前記担当する看護師に対して携帯端末を介して医療処理行為を行う時間である旨を通知し、
また、前記通知に対して、当該携帯端末から対応応答がないとき、他の看護師に対して医療処理行為を行う時間である旨を通知し、
前記通知をもって前記医療処置行為を前記看護師に対して行うように促すことを特徴とする看護業務誘導システム。
【請求項４】
請求項２に記載された看護業務誘導システムにおいて、さらに、
前記看護業務計画に基づいて前記治療計画における治療処置行為を時系列的に並べて表示する処置時系列一覧表示画面を作成する手段と、
前記処置時系列一覧表示画面を表示する手段と、
を有することを特徴とする看護業務誘導システム。
【請求項５】
患者情報を管理するシステムと、
前記治療計画における医療処置行為を担当する看護師の勤務スケジュールを含む看護勤務情報を管理するシステムと、
前記看護師に対して前記医療処置行為を促す旨のメッセージを通知するシステムと、
前記メッセージを前記看護師に通知することをもって当該看護師を前記患者の元へ誘導するシステムを備え、
前記看護師を誘導するシステムは、
前記患者情報と前記看護勤務情報を元に、前記治療計画に含まれる所定の医療処置行為（アクション）を担当する看護師を割り振りして看護業務計画を作成する手段と、
前記看護業務計画における医療処置行為を時系列的に並べた処置時系列一覧表示画面を作成して出力する手段と、
前記処理時系列一覧表示画面を表示する手段と、
前記患者情報における診断・検査情報に異常値があるとき、その旨を知らせるアラームの有無を判定し、アラーム有のとき、前記看護師対して、その旨を通知する手段と、
前記治療計画における所定の医療処置行為の時間に達したとき、又は医療処置行為の時間に近づいたとき、前記看護師に対して当該医療処置の行為を促す旨のメッセージ通知する手段と、
を有することを特徴とする看護業務誘導システム。
【請求項６】
請求項５に記載された看護業務誘導システムにおいて、
前記患者情報は、患者ＩＤ、患者の診断・検査情報及び治療計画情報を含む情報であり、
前記看護勤務情報は、患者ＩＤ、前記看護師の勤務スケジュールを含む情報であり、
前記看護師は、患者の医療処理行為を行う主副の看護師である、ことを特徴とする看護業務誘導システム。
【請求項７】
請求項５に記載された看護業務誘導システムにおいて
前記患者情報を管理するシステムが、電子カルテシステムであり、
前記看護勤務情報を管理するシステムが、看護勤務システムであり、
前記メッセージを通知するシステムが、ナースコールシステムであり、
前記看護師を前記患者の元へ誘導するシステムが、看護業務誘導システムである、
ことを特徴とする看護業務誘導システム。
【発明の詳細な説明】
【技術分野】
【０００１】
本発明は、入院患者に対する看護従事者（以下、看護師と称する）による看護業務計画を作成する看護業務計画作成システム及び看護業務計画における医療処置行為を促すように誘導する看護業務誘導システムに関する。
【０００２】
更に詳しくは、例えば、入院患者に対する入院療養業務（検査、リハビリ、薬、食事、活動、清潔、排泄、処置、指導・説明、などの各行為）を看護師間において、適確に引き継ぐことができる看護業務計画作成システム及び看護業務誘導システムに関する。
【背景技術】
【０００３】
病院においては、入院患者に対する療養行為（又は医療行為）は、一般に、医師（主治医）が入院患者に対して、診察・診断、問診、検査などを行った上で、病名（病気）を特定し、当該病名に対して最善と思われる治療・療養計画（治療・療養スケジュール）を立てている。そして、この治療・療養計画を元に、医療機関は、患者に対する勤務・看護体制（看護チーム）を整え、看護師に対して必要な医療処置行為（体温測定、血圧測定、脈拍測定、血液採取、注射、点滴、各種検査補助など）を必要なタイミングで実施するよう指示する。看護師は、この指示に基づいて、必要な医療業務／看護業務（医療サービス：含医療処置行為）を遂行する。
【０００４】
特に、入院患者の場合における医療サービスは、２４時間、３６５日、途切れることなく、間違いなく、正確に提供される勤務・看護体制が大切である。
【０００５】
しかし、この医師により作成される治療・療養計画書の中には看護師の勤務スケジュールまで、考慮されていない。
換言すれは、病院内組織として、医師は、医局の中でクローズされ、看護師は、看護部の中でクローズされており、両者の勤務スケジュールも共有されることもなく、互いに関与することも少ない。
【０００６】
したがって、一般的には、人手、つまり看護師間における業務引継ぎ、例えば、治療計画における実行した医療業務（治療内容、処置や投薬行為、また予定治療内容、処置や投薬行為など）や次に実行する医療業務（医療処置行為）などを次々に申し送りするなどの業務引継ぎ作業が必要となっていた。
【０００７】
そして、看護師は、デジタルな情報（例えば、電子カルテ等）とアナログな情報（日々の勤務における看護チーム編成や担当患者等）の狭間で、医療処置（看護処置）等の業務引継ぎが遂行されているのが、現状である。
【０００８】
このように人手による医療業務引継ぎ業務は、看護師の勤務特性（３シフト勤務体制）から、医療業務の引継ぎ漏れが発生したり、また、複数の入院患者に対する医療業務が集中したりすると、看護師の疲労や気持ちの焦りを招くなどして、医療過誤（医療ミス）を誘引するリスクを招く大きな課題がある。
【０００９】
本技術の背景技術として、例えば、特開平９−５５７４２号公報（特許文献１）がある。
【先行技術文献】
【特許文献】
【００１０】
【特許文献１】特開平９−５５７４２号公報
【発明の概要】
【発明が解決しようとする課題】
【００１１】
特許文献１には、「診療科および薬局等の各情報サブシステム群をネットワークで結合し、病院内情報の管理を行う病院情報システムにおいて、院内の少なくとも１つの部門に無線ＬＡＮ用送受信機を設置し、各患者の保持する携帯情報端末と交信することにより、患者の動きに同期した情報処理を行うと共に、院内の任意の場所の患者に対し、常時個人情報を提供」し、「病院情報システムにおいて、患者の待ち時間を短縮すると共に、患者に対する個人情報サービスを提供する」病院内情報処理システムが記載されている（要約書参照）。
【００１２】
しかし、特許文献１を含む従来技術にあっては、医師により作成される治療計画に看護師のスケジュールを考慮して看護師を自動的に割り振ることまでは考慮されていない。したがって、以下のような課題がある。
（１）人手による医療業務引継ぎのため、引継ぎ漏れや誤解が生じやすい。
（２）医療業務引継ぎは、意識を集中させるため、患者サービスへの手薄な時間帯となる。
（３）同一時間帯の複数の患者への医療処置は、ナースコール等の割り込みにより、焦りに繋がり、医療過誤の発生を誘引する。
【００１３】
そこで、本発明は、係る課題に鑑みなされ、第１の目的は、看護師間における医療業務（入院療養業務）の引継ぎを適確に行えるような看護業務計画を作成するシステムを提供することにある。
【００１４】
また、本発明の第２の目的は、看護業務計画に基づき必要なタイミングで患者の元に看護師を自動的に誘導し、患者に対する医療処置を過誤することなく誘導することができるシステムを提供することにある。
【課題を解決するための手段】
【００１５】
上述した課題を達成するために、本発明の看護業務計画作成システムは、患者情報と看護勤務情報を元に患者に対する治療計画／入院療養計画における医療処置行為、当該医療処置行為を担当する看護師を含む看護業務計画書（例えば、処置時系列一覧表示画面）を作成し、当該看護業務計画書を介して看護師に対して適確に通知し得る手段を設ける。
また、本発明の看護業務誘導システムは、治療計画／入院療養計画における医療結果（診察・検査結果、処置結果、など）に異常があった場合や医療処置行為を行う時間に達したとき、又は近づいたとき、医療処理行為を行う時間である旨を担当看護従事者（主副看護師）に通知する、又はコールする手段を設ける。
【００１６】
例えば、本発明の看護業務計画作成システムは、
患者の治療計画を含む患者情報及び看護師の勤務状況を含む看護勤務情報を入力する入力手段と、
前記患者情報と前記看護勤務情報を元に前記治療計画における医療処置行為を担当する看護師を割り当てて、当該医療処置行為と当該担当看護師を関連付けた情報を含む看護業務計画を作成する手段と、
前記看護業務計画を表示する手段と、
を有することを特徴とする。
【００１７】
例えば、本発明の看護業務誘導システムは、
患者の治療計画を含む患者情報及び看護師の勤務状況を含む看護勤務情報を入力する入力手段と、
前記患者情報と前記看護勤務情報を元に前記治療計画における医療処置行為を担当する看護師を割り当てて看護業務計画を作成する手段と、
前記治療計画における医療処置行為の進捗状況を管理する手段と、
前記医療処理行為を行う時間に達したとき、又は近づいたとき、医療処理行為を行う時間である旨を前記担当する看護師に通知する手段と、
を有することを特徴とする。
【００１８】
本発明の看護業務誘導システムにおいて、
前記看護師に通知する手段は、
前記医療処理行為を行う時間に達したとき、又は近づいたとき、その旨を示すメッセージを作成し、
当該メッセージをもって前記担当する看護師に対して携帯端末を介して医療処理行為を行う時間である旨を通知し、
また、前記通知に対して、当該携帯端末から対応応答がないとき、他の看護師に対して医療処理行為を行う時間である旨を通知し、
前記通知をもって前記医療処置行為を前記看護師に対して行うように促すことを特徴とする。
【００１９】
本発明の看護業務誘導システムにおいて、さらに、
前記看護業務計画に基づいて前記治療計画における治療処置行為を時系列的に並べて表示する処置時系列一覧表示画面を作成する手段と、
前記処置時系列一覧表示画面を表示する手段と、
を有することを特徴とする。
【００２０】
また、例えば、本願発明の看護業務誘導システムは、
患者情報を管理するシステムと、
前記治療計画における医療処置行為を担当する看護師の勤務スケジュールを含む看護勤務情報を管理するシステムと、
前記看護師に対して前記医療処置行為を促す旨のメッセージを通知するシステムと、
前記メッセージを前記看護師に通知することをもって当該看護師を前記患者の元へ誘導するシステムを備え、
前記看護師を誘導するシステムは、
前記患者情報と前記看護勤務情報を元に、前記治療計画に含まれる所定の医療処置行為（アクション）を担当する看護師を割り振りして看護業務計画を作成する手段と、
前記看護業務計画における医療処置行為を時系列的に並べた処置時系列一覧表示画面を作成して出力する手段と、
前記処理時系列一覧表示画面を表示する手段と、
前記患者情報における診断・検査情報に異常値があるとき、その旨を知らせるアラームの有無を判定し、アラーム有のとき、前記看護師対して、その旨を通知する手段と、
前記治療計画における所定の医療処置行為の時間に達したとき、又は医療処置行為の時間に近づいたとき、前記看護師に対して当該医療処置の行為を促す旨のメッセージ通知する手段と、
を有することを特徴とする。
【００２１】
また、本願発明の看護業務誘導システムにおいて、前記患者情報は、患者ＩＤ、患者の診断・検査情報及び治療計画情報を含む情報であり、
前記看護勤務情報は、患者ＩＤ、前記看護師の勤務スケジュールを含む情報であり、
前記看護師は、患者の医療処理行為を行う主副の看護師である、ことを特徴とする。
【００２２】
また、本願発明の看護業務誘導システムは、
前記患者情報を管理するシステムが、電子カルテ／入院オーダ／病床管理等システムであり、
前記看護勤務情報を管理するシステムが、看護勤務システムであり、
前記メッセージを通知するシステムが、ナースコールシステムであり、
前記看護師を前記患者の元へ誘導するシステムが、看護業務誘導システムである、
ことを特徴とする。
【発明の効果】
【００２３】
本発明によれば、看護師間における医療業務（入院療養業務）の引継ぎを適確に行えるような看護業務計画を作成するシステムを提供することができる。
【００２４】
また、本発明によれば、看護業務計画に基づき必要なタイミングで患者の元に看護師を自動的に誘導し、患者に対する医療処置を過誤することなく誘導することができるシステムを提供することができる。
上記した以外の課題、構成及び効果は、以下の実施形態の説明により明らかにされる。
【図面の簡単な説明】
【００２５】
【図１】本発明の看護業務計画を作成する機能及び看護業務を誘導する機能を有する看護業務誘導システムの全体構成を示すブロック図。
【図２】看護業務誘導システムと、電子カルテシステムと、看護勤務システムと、ナースコールシステム、との関係を説明する機能ブロック図。
【図３】看護業務誘導システムにおいて、医療処置行為を行う看護師を割り当てて看護業務計画を作成する処理手順を示すフロー図。
【図４】看護業務誘導システムにおいて、医療処置行為を行う看護師をコールする処理手順を示すフロー図。
【図５】治療計画書における主治医と看護師による医療処置に対する担当者（看護師）の割当て前と割当て後の様子を模式的に示す図。
【発明を実施するための形態】
【００２６】
本実施形態は、既存のシステム、つまり電子カルテ等のシステム３、看護勤務システム４、ナースコールシステム２と連携して、看護業務計画を作成する機能、看護業務計画に携わる看護師に対して医療処置行為を行うよう通知する機能を有する看護業務誘導システムを例に説明する。
【００２７】
本発明の看護業務誘導システムは、例えば、入院患者（含患者ＩＤ）の治療計画、又は療養計画（以下、治療計画と称する）の内容を示す医療計画情報（含医療処置）を取り扱う手段、看護師の看護勤務情報（含看護師勤務スケジュール）を取り扱う手段、と連携して、一人以上の入院患者の治療計画に基づき入院患者に対して必要な医療業務（医療処置）すべてに対して看護師の看護勤務情報を元に、その医療業務を担当する看護師（主副担当看護師）を割り当てて看護業務計画を作成する手段と、前記医療業務（医療処置）を担当する看護師に通知するメッセージを作成する手段と、前記メッセージを前記看護師に対して携帯端末（院内ＰＨＳなど）を介して通知する手段、を有する。
【００２８】
また、前記看護師の携帯端末から受信応答がない場合や当該看護師が緊急対応中で対応不可な状態にある場合や着信拒否応答があった場合、予め設定した看護師（主担当看護師）以外の看護師（副担当看護師）に前記メッセージを通知する手段、を有する。
【００２９】
入院患者（含患者ＩＤ）の治療計画内容を示す医療計画情報を取り扱う手段としては、既存の電子カルテシステムであり、医療従事者の勤務情報を取り扱う医療従事者勤務システムとして既存の看護勤務システムである。また、医療従事者（医者や看護師）に通知する手段としては既存のナースコールシステムである。
【００３０】
患者の患者情報には、医師により作成される電子カルテ及び治療計画の内容を示す情報を含むものとする。また、看護勤務情報には、例えば看護師の出勤日時、入院患者を識別する情報及び入院患者に対する医療業務内容、などを示す情報を含むものとする。
【００３１】
電子カルテには、診察・診断、各種の検査、各種撮影画像、投薬、などの各情報を含むものとする。検査情報や撮影画像情報は、これらを取り扱う院内各システム、電子カルテシステム、看護勤務システム、放射線画像表示システム、心電図モニタシステム、心拍血圧等バイタルデータモニタシステム、と連携し、当該システムから収集するように構成するとよい。
【実施例】
【００３２】
以下、本発明の実施例について説明する。図１は、本発明の看護業務計画を作成する機能及び看護業務を誘導する機能を有する看護業務誘導システムの全体構成を示すブロック図である。
【００３３】
同図において、看護業務誘導システム１は、例えば、医療従事者である看護師をコールするナースコールシステム２と、患者の患者情報を管理する電子カルテシステム（医療情報管理システム）３と、看護師の勤務情報を管理する看護勤務システム（医療従事者勤務システム）４と連携して構成し、以下の機能を有する。以下、看護業務誘導システムとして説明する。ネットワーク６は、各システムを接続する。
【００３４】
看護業務誘導システム１は、患者の医療に関する患者情報と看護師の勤務情報を元に医師により作成された治療計画書に沿った看護業務計画を作成（担当看護師を割り当て）する機能を有する。故に、看護業務誘導システム１は、看護業務計画作成システムとも言える。
【００３５】
また、看護業務誘導システム１は、当該看護業務計画書を元に医療処置行為を時系列に一覧できるようにする処置時系列一覧表示画面を作成する機能、当該処置時系列一覧表示画面を視覚的に確認できるように表示する機能、また、看護師に対して医療処置行為を促すメッセージを作成する機能、当該メッセージを看護師に対して通知する、又は看護師をコールする機能を有する。
【００３６】
患者情報には、治療計画情報（含患者名：患者ＩＤ）の他に診療情報（診察、検査情報、放射線画像、心電図モニタ情報、心拍・血圧情報、投薬情報、など）を含む。
【００３７】
看護勤務情報には、看護師（看護スタッフ）の勤務内容（担当する患者名：患者ＩＤや処置行為）、勤務時間、勤務状況などを含む。
【００３８】
本実施例では、看護業務誘導システム１は、他のシステム２〜４と連携して構成するものであるが、本看護システム単独により上述した各機能を実現可能に構成してもよい。また、看護業務誘導システム１は、処置進捗状況が医療従事者により、手軽に携帯できるような端末で構成してもよい。
【００３９】
そして、看護業務誘導システム１は、上述した各機能を実現するため、入出力装置１１、入出力インターフェース１２、演算装置１３、記憶装置１４、などを有し、各装置によって機能を有する。
【００４０】
（１）患者情報（含電子カルテ情報、治療計画情報）、看護勤務情報（看護師勤務情報）、を収集又は入力する機能
（２）電子カルテシステム３における患者情報と看護勤務システム４における看護勤務情報（看護師スケジュール）を元に治療計画における医療処置行為（処置項目）に対する担当看護師を割り当てて看護業務計画を作成する機能
（３）治療計画の医療処置行為（医療処置項目）を時系列に並べた処置時系列一覧表示画面を作成する機能
（４）処置時系列一覧表示画面を表示する機能
（５）患者情報における治療情報に何等かの異常値が見られた場合や医療処置行為（処置項目）の時間が近づいた場合、その旨のメッセージを作成して担当看護師（携帯端末５）に対して通知する機能
【００４１】
処置時系列一覧表示画面には、例えば、担当医師、担当看護師、医療処置行為（処置項目）、日時、などを含む。
【００４２】
本実施例では、看護業務誘導システム１が、患者ＩＤを元に、他のシステム３〜４に対して患者情報や看護勤務情報を要求し、当該要求に応じて他システムから患者情報や看護勤務情報を収集する方法としている。
【００４３】
例えば、看護業務誘導システム１から患者ＩＤを元に通信インターフェース１２を介して電子カルテシステム３、看護勤務システム４に送信し、当該システムから当該患者ＩＤに対応する情報を収集する。これらの情報は、看護業務誘導システム１に直に入力し、管理するように構成してもよい。
【００４４】
また、本実施例では、担当看護師への通知機能は、ナースコールシステム２を介して行っているが、看護業務誘導システム１から直に携帯端末５を介して担当看護師に通知できるように構成してもよい。
【００４５】
入出力装置１１は、入力部から患者ＩＤを入力し、また、出力部にて治療計画と看護師のスケジュールをリンクして作成した医療処理を時系列的に構成した処理時系列一覧表示画面を表示する。
【００４６】
演算装置１３は、上述した各機能を実現する。記憶装置１４は、上記各情報を記憶する。
【００４７】
携帯端末５は、処置を割り当てされた担当看護師が携帯する端末（主携帯端末５１）であり、また、担当看護師との連絡がとれないような場合、緊急用として例えば副担当看護師が携帯する端末（副携帯端末５２）である。
【００４８】
図２は、看護業務誘導システム１と、電子カルテシステム３と、看護勤務システム４と、ナースコールシステム２、との関係を説明する機能ブロック図である。
【００４９】
同図において、電子カルテシステム３は、患者情報入力部３１、患者情報記憶部３２、患者情報管理部３３、を有する。
【００５０】
患者情報入力部３１は、例えば、キーボードからなり、患者に関する各種の患者情報、例えば、診断情報・検査・画像情報、治療計画情報、患者ＩＤなどを入力するものである。患者ＩＤは、患者情報に対応付けされるものであり、カードリーダにより患者ＩＤを読み取って入力するものであってもよい。
【００５１】
患者情報記憶部３２は、例えばデータベース（ＤＢ）からなり、入力部から入力した患者情報を記録する。
【００５２】
患者情報管理部３３は、演算処理部（ＣＰＵ）からなり、患者情報を管理し、看護業務誘導システム１側から患者情報の送信要求依頼を受けたとき、患者ＩＤに対応する患者情報を看護業務誘導システム１側に送信する。
【００５３】
看護勤務システム４は、看護勤務情報入力部４１、看護勤務情報記憶部４２、看護勤務情報管理部４３、を有する。
【００５４】
看護勤務情報入力部４１は、例えば、キーボードからなり、看護師における勤務スケジュールなどの勤務情報、例えば、看護師の勤務状況（勤務日、出退勤時間、担当患者、その他）を含む看護勤務情報を入力する。
【００５５】
看護勤務情報記憶部４２は、例えばデータベース（ＤＢ）からなり、入力部から入力した看護勤務情報を記録する。
【００５６】
看護勤務情報管理部４３は、演算処理部（ＣＰＵ）からなり、看護師の勤務スケジュールなどの看護勤務情報を管理し、看護業務誘導システム１側から看護勤務情報の送信要求依頼を受けたとき、患者ＩＤに対応する看護勤務情報を看護業務誘導システム１側に送信する。
【００５７】
ナースコールシステム２は、ナースコール部２１を有する。ナースコール部２１は、看護業務誘導システム１側から医療処置行為を促すメッセージを受けたとき、主携帯端末５１、又は副携帯端末５２を介して患者を担当する主担当看護師、又は副担当看護師をコールする。
【００５８】
これら電子カルテシステム３、看護勤務システム４、ナースコールシステム２は、周知技術故、その詳細説明は省略する。
【００５９】
看護業務誘導システム１における入出力装置１１は、入力部１１１、出力部１１２を有し、記憶装置１４は、記憶部１４１を有する。
【００６０】
通信インターフェース１２は、他のシステム２〜４との間で患者ＩＤや各情報の授受を行う。
【００６１】
入力部１１１は、例えば、キーボードからなり、患者ＩＤなどを入力する。出力部１１２は、例えば、ディスプレイからなり、各システムから収集して統合した情報から得られた医療処置行為（医療処置項目）を時系列的に並べた処置時系列一覧表示画面を表示する。
【００６２】
演算装置１３は、患者情報・看護勤務情報収集部１３１、担当看護師割当部１３２、処置時系列一覧表示画面作成部１３３、医療処置進捗管理部１３４、医療処置行為時間通知部１３５、を有する。
【００６３】
患者情報・看護勤務情報収集部１３１は、電子カルテシステム３から患者情報を収集し、看護勤務システム４から看護勤務情報を収集する。この情報収集は、例えば、患者ＩＤを元に行う。
【００６４】
担当看護師割当部１３２は、電子カルテシステム３から収集した患者情報と看護勤務システム４から収集した看護勤務情報を元に患者情報の治療計画における医療処置（処置項目）を行う主担当看護師や副担当看護師を割り当てて、看護業務計画を作成する。この割り当ては、例えば、看護師を管理する責任者により行う。
【００６５】
本実施例では、この看護担当の割当てを看護業務誘導システム１側にて行っているが、看護勤務システム４側にて予め看護師の勤務情報の中に組み入れてもよい。また、看護業務誘導システム１側において、当該システムを管理する管理者側により、出力部１１２の処置時系列一覧表示画面を見て、入力部１１１により、自由に変更、調整可能にできるように構成してもよい。
【００６６】
処置時系列一覧表示画面作成部１３３は、各システムから収集して統合した情報から患者の医療処置行為（処置項目）及び担当看護師を含む医療処置行為（処置項目）を時系列に並べた処置列一覧表示画面を作成する。また、処置一覧表示画面を出力部（ディスプレイ）１２２に出力する。
【００６７】
医療処置進捗管理部１３４は、電子カルテシステム３からの日々、又は時事刻々に更新される患者情報の中で、診断や検査、処置などに異常が見られるか否か、例えば、心拍数や血中酸素濃度などに異常値が有るか否か（異常有無）を監視、判断、管理する。
【００６８】
医療処置行為時間通知部１３５は、医療処置進捗管理部１３４において、診断情報などに異常値を検知したときや医療計画における医療処置行為の時間が近づいたとき、その所定時間前に医療処置行為を促すメッセージを、通信インターフェース１２を介してナースコールシステム２に通知する。
【００６９】
ナースコールシステム２は、このメッセージを受けたとき、ナースコール部２１により、携帯端末５１を介して主担当看護師をコールする。主担当看護師からコールに対する応答がない場合には、携帯端末５２を介して副担当看護師をコールする。これにより、治療計画における各医療処置行為の喚起、引継ぎを自動的に行うことが可能となる。
【００７０】
図３は、看護業務誘導システム１において、医療処置行為を行う看護師を割り当てて看護業務計画を作成する処理手順を示すフロー図である。
【００７１】
同図において、看護業務誘導システム１は、以下の処理手順により、看護業務計画を作成する。
【００７２】
ステップＳ１１１において、電子カルテシステム３（ステップＳ３１１）に入力された患者ＩＤを受信する。
【００７３】
ステップＳ１１２において、患者ＩＤを院内関係システムである電子カルテシステム３、看護勤務システム４に対して送信（転送）して、当該患者ＩＤに対応する患者の治療計画を含む患者情報及び看護師の勤務情報（勤務スケジュール）を含む看護勤務情報の送信要求を行う。
【００７４】
このとき、電子カルテシステム３は、ステップＳ３１２において、患者ＩＤを受信して当該患者ＩＤを元に患者情報を検索・収集して看護業務誘導システム１に送信する。また、看護勤務システム４も同様にステップＳ４１１において、患者ＩＤを受信して当該患者ＩＤを元に看護勤務情報を検索・収集して看護業務誘導システム１に送信する。
【００７５】
ステップＳ１１３において、ステップＳ１１２に応答して電子カルテシステム３（ステップＳ３１２）及び看護勤務システム４（ステップＳ４１１）から送信されてくる患者情報及び看護勤務情報を受信、収集、記憶する。
【００７６】
ステップＳ１１４において、患者情報及び看護勤務情報を元に、患者情報に含まれる治療計画における各医療処置を行う主担当看護師及び副担当看護師を割り当てる。
【００７７】
ステップＳ１１５において、治療計画における医療処置（医療処置項目）を時系列的に並べた処置時系列一覧表示画面、つまり看護業務計画を作成する。
【００７８】
ステップＳ１１６において、処置時系列一覧表示画面（看護業務計画）をディスプレイに出力し表示する。
【００７９】
図４は、看護業務誘導システムにおいて、医療処置行為を行う看護師をコールする処理手順を示すフロー図である。
【００８０】
同図において、看護業務誘導システム１は、以下の処理手順を有する。
【００８１】
ステップＳ１２１において、患者ＩＤを入力する。
【００８２】
ステップＳ１２２において、患者ＩＤを院内関係システムである電子カルテシステム３に対して送信（配信）して患者に関する患者情報（含診療情報、検査情報、画像情報、治療計画情報など）の送信を要求する。
【００８３】
このとき、電子カルテシステム３は、ステップＳ３２１において、患者ＩＤを受信して当該患者ＩＤを元に患者情報を検索・収集する。そして、ステップＳ３１２において、収集した患者情報を看護業務誘導システム１に送信する。
【００８４】
ステップＳ１２３において、ステップＳ１２２における要求に応答して電子カルテシステム３から送信されてくる患者情報を受信、記憶する。
【００８５】
ステップＳ１２４において、患者情報を元に医療従事者が次に行うべく医療処置（アクション）を時系列的に判断して処理時系列一覧表示画面（看護業務計画作成）を作成し出力する。
【００８６】
ステップＳ１２５において、患者情報の中で診療情報、例えば、心拍数や血中酸素濃度に異常値を知らせるアラーム有無を判定・判断し、ステップＳ１２６において、点滴や投薬などの次に行うべき処置行為時間に達成したか、又は近づいたかを判定する。
【００８７】
ステップＳ１２７において、ステップＳ１２５にて、アラーム有の場合、また処置行為時間の場合、次の医療処置行為を促すメッセージを作成してナースコールシステム２に通知する。
【００８８】
この通知を受けたナースコールシステム２は、看護従事者（主担当看護師）が携帯する主携帯端末５１を介して看護従者をコールする。
【００８９】
主携帯端末５１から対応応答がない場合、ステップＳ１２８において、同様に副携帯端末５２を介して看護従事者をコールする。
【００９０】
治療計画書（入院療養計画書）は、患者ごとに計画されるものであり、例えば、患者名（含患者ＩＤ）、病名、主治医、説明看護師、などの欄と、患者に対する日程、経過（入院日）、目標（症状の進行）、検査（採血、検尿、レントゲン、心電図、ＣＴやＭＲＩ）、リハビリ（リハビリ状況）、薬、食事、活動（症状により活動できる範囲）、清潔（シャワー、入浴）、排泄、処置（症状や生活状況などについての診察）、説明（入院に際しての説明、病棟案内）、などの各欄、を有する。
【００９１】
図５は、入院療養計画書（治療計画書）に基づく主治医と看護師による医療処置に対する担当者（看護師）の割当て前と割当て後の様子を模式的に示す図である。
【００９２】
同図において、治療計画書には、主治医（Ａ、Ｂ、・・・）、患者を特定する患者ＩＤ（００１、００２、・・・）、医療処置、などの各欄を有する。医療処置を示す欄には、患者の看護を主に担当する主担当者（看護師Ｘ１、Ｘ２、・・・）、患者の看護を副に担当する副担当者（看護師Ｘ２、Ｘ１、・・・）、処置行為（処置項目）を示す情報、処置行為を行う日時（時間）を示す情報欄を有する。
【００９３】
以上述べたように、入院患者（病棟）の治療計画と、病棟看護師の勤務スケジュールを融合して入院患者に対する全処置（医療）行為について担当する看護師を割り当てて、ナースコールシステムと連動して、処置行為者（担当看護師）に処置行為を行うような内容の処置メッセージを通知するシステムによれば、処置メッセージを処置行為者（担当看護師）に通知することができる。また、１処置に係る時間を事前設定することにより、次の処置メッセージへのタイムラグを持たせることができ、処置担当者（担当看護師）は、落ち着いてゆとりある処置行為が可能となる。
【００９４】
更に、具体的には、以下のような効果が期待できる。
（１）例えば、患者ＩＤの1度の入力操作で複数システムに跨る情報を呼び出すことができ、必要な情報へのアクセス時間が短縮できる。
（２）入力操作が１回で済むため集中でき、操作ミスを起こし難くなる。
（３）１つのディスプレイ（モニタ）に処理時系列一覧表示画面を表示することにより、当該患者のデータが集約できるため、データ取違い等の誤判断の危険を回避できる。
（４）複数患者への医療処置が重なった場合には、医療処置内容の緊急度に合わせた対処の優先順位付けの判断がすばやくできる。
（５）また、これらの効果の相乗効果として、患者サービスへの向上が見込まれる。
【符号の説明】
【００９５】
１  看護業務誘導システム
２  ナースコールシステム
３  電子カルテシステム
４  看護勤務システム
１１  入出力装置
１２  通信インターフェース
１３  演算装置
１４  記憶装置
１３１  患者情報及び看護情報収集部
１３２  担当看護師割当部
１３３  処置時系列一覧表示画面作成部
１３５  医療処置行為時間通知部
【図１】
2019021124.tif 000003
【図２】
2019021124.tif 000004
【図３】
2019021124.tif 000005
【図４】
2019021124.tif 000006
【図５】
2019021124.tif 000007